(57)【要約】【課題】冊子の背幅を制御できる紙折り装置を提供する。【解決手段】固定テーブル11と可動テーブル12を対向させて配置し、可動テーブル12をスライドして固定テーブル11との間隔を変化させるテーブルスライド機構を設ける。固定テーブル11の端部は下方へ垂下しており、可動テーブル12の端部一段下がったステップ形となっていて、可動テーブル12ステップ部12aと固定テーブル11の壁部11aとが重なって溝が形成される。テーブル上にセットされた紙Pの中央を転圧ローラ13が溝内へ圧入して用紙を冊子形状にプレス成形する。可動テーブル12をスライドさせて溝幅を変化させることにより、冊子の背幅を制御でき、冊子の背幅を任意設定したり背幅を統一したりすることができる。【選択図】  図１
2004196524.tif 000002
【特許請求の範囲】
【請求項１】
一対のテーブルを平行に配置し、一方のテーブルの端部に一段下がったステップ部を設け、他方のテーブルに端部から直角に垂下する壁部を設け、ステップ部に壁部を重ねて溝を形成し、前記一対のテーブルの間隔を変化させる調節機構を介装して溝幅を調節できるようにするとともに、溝内を転動するローラを設け、テーブル上の紙の中央をローラにより溝内へ圧入して冊子を形成する紙折り装置。
【請求項２】
紙厚情報や紙の枚数情報に応じて前記溝幅を制御する制御手段を備えた請求項１記載の紙折り装置。
【請求項３】
上記ローラによる冊子形成工程の後に、前記間隔調節機構により一対のテーブルを離反させて冊子を下方へ排出する制御手段を備えた請求項１または２記載の紙折り装置。
【請求項４】
上記ローラは溝車である請求項１、２または３記載の紙折り装置。
【発明の詳細な説明】
【０００１】
【発明の属する技術分野】
この発明は、中綴じした紙を二つ折りして冊子を製本する紙折り装置に関するものであり、特に、冊子の背を角型に成形する紙折り装置に関するものである。
【０００２】
【従来の技術】
複数枚の紙を二つ折りにして小冊子を形成する紙折り装置として、紙の折曲げ部位をローラによりプレスして冊子の背を角型に成形する方法および装置が提案されている（特許文献１参照）。図9はこの種の紙折り装置を示し、用紙テーブル1上にセットされた紙Pの中心を昇降式のブレード2により下方へ押して、図10に示すように紙Pの中心を停止板3へ押しつけ、図11に示すように紙Pの折曲げ部位を一対のクランピングジョー4により左右からクランプした後に停止板3を退避させ、一対のクランピングジョー4の間から下方へ突出している紙Pの先端をローラ5により押し潰して冊子の背を角型に成形する。
【０００３】
【特許文献１】特開2001-260564号公報
【０００４】
【発明が解決しようとする課題】
紙を単に平折りした冊子ではなく、表紙と裏表紙との間に平坦な背を有する冊子を製本する場合において、頁数や紙厚の差異にかかわらず均一な背幅にしたい場合や背幅を任意に設定したい場合があるが、二つ折りにした紙をクランプにより左右から挟んで固定し、クランプ間から下方へ突出している紙の先端をローラにより押し潰して冊子の背を角型に成形する従来の紙折り装置では、背幅はほぼ紙厚×頁数となって背幅の調整は不可能である。そこで、冊子の背幅を制御できる機能を備えた紙折り装置を提供するために解決すべき技術的課題が生じてくるのであり、本発明は上記課題を解決することを目的とする。
【０００５】
【課題を解決するための手段】
この発明は、上記目的を達成するために提案するものであり、一対のテーブルを平行に配置し、一方のテーブルの端部に一段下がったステップ部を設け、他方のテーブルに端部から直角に垂下する壁部を設け、ステップ部に壁部を重ねて溝を形成し、前記一対のテーブルの間隔を変化させる調節機構を介装して溝幅を調節できるようにするとともに、溝内を転動するローラを設け、テーブル上の紙の中央をローラにより溝内へ圧入して冊子を形成する紙折り装置を提供するものである。
【０００６】
また、紙厚情報や紙の枚数情報に応じて前記溝幅を制御する制御手段を備えた紙折り装置を提供するものである。
また、上記ローラによる冊子形成工程の後に、前記間隔調節機構により一対のテーブルを離反させて冊子を下方へ排出する制御手段を備えた紙折り装置を提供するものである。
【０００７】
また、上記ローラは溝付きローラである紙折り装置を提供するものである。
【０００８】
【発明の実施の形態】
以下、この発明の実施の一形態を図に従って詳述する。図１は紙折り装置の機構を示し、二つ折りすべき紙Pを載せる紙テーブルは、固定テーブル11と可動テーブル12に二分割されていて、テーブルスライド機構（図示せず）により可動テーブル12を前後（図1において左右）へスライドさせて固定テーブル11との間隔を変化させることができる。固定テーブル11の可動テーブル12へ対向する縁部は下方へ垂下しており、可動テーブル12の固定テーブル11へ対向する縁部は階段状に一段下がったステップ形となっていて、図のように可動テーブル12が固定テーブル11へ接近したときに可動テーブル12のステップ部12aと固定テーブル11の壁部11aとが重なって溝が形成され、可動テーブル12をスライドさせることによって溝幅が変化し、固定テーブル11の壁部11aから可動テーブル12のステップ部12aを離反させることもできる。
【０００９】
図2に示すように、固定テーブル11ならびに可動テーブル12の横に転圧ローラ13を配置しており、転圧ローラ13はローラ移動機構（図示せず）によってテーブルを左右に横断する。転圧ローラ13の下面は可動テーブル12のステップ部12aの上面とほぼ等しい高さに位置しており、転圧ローラ13はステップ部12aの上面を転動する。また、転圧ローラ13には左右位置調整機構（図示せず）が介装されていて、溝幅に応じて溝の中央に位置するように調整される。
【００１０】
続いて、紙折り装置の動作を説明する。図1のようにステープルなどによって中央を綴じた１セットの紙Pが複写機等の送り装置或いは手操作によりテーブル11, 12上に載置され、複写機等の制御部からの背幅設定情報或いは手動設定により可動テーブル12が後方へ移動して固定テーブル11との間隔が調整される。転圧ローラ13は上記の背幅設定情報または手動設定値に応じて固定テーブル11と可動テーブル12との間の溝の中心に位置合わせされる。
【００１１】
そして、図3及び図4に示すように、ローラ移動機構によって転圧ローラ13が溝内を転動し、テーブル11, 12上の紙Pの中央を溝内へ押し込みつつテーブルの他端へ進行する。これにより、紙Pの中央は溝の底面及び壁面へ圧接されて角型にプレス成形され、溝の底面に圧接された背部分に対して頁部分が直角に折り曲げられて直立する。そして、図5に示すように転圧ローラ13が紙Pを通過して転動終端位置に達した後に、図6に示すように可動テーブル12が前方（図において右）へスライドして固定テーブル11から離反し、可動テーブル12のステップ部12aによる支えを解除された紙Pは下方へ落下し、図示しないストック部へ収容される。
【００１２】
図7は、図1より背幅を狭く設定した例を示し、このように固定テーブル11と可動テーブル12とによって形成される溝幅を変更することによって所望の背幅の冊子を作成することができる。また、冊子の背となる部分の内側からプレスし、冊子の背部分はテーブルの溝に圧接されて成形されるので冊子の表面に傷がつくことがなくきれいに仕上がる。
【００１３】
また、転圧ローラに昇降機構を介装し、図8に示すようにテーブル11, 12の上方で待機している転圧ローラ13が下降して溝へ接地した後に溝内を転動するようにしてもよい。また、図示は省略するが、転圧ローラとしてV溝或いはU溝を形成したローラを用いれば、紙の中央を綴じているステープルなどにローラが干渉することがなく、よりよい仕上がりが得られる。また、数種類の幅の転圧ローラをターンテーブルなどへ取付けて、溝幅に合わせて転圧ローラを切換えるようにしてもよい。
【００１４】
尚、この発明は上記の実施形態に限定するものではなく、この発明の技術的範囲内において種々の改変が可能であり、この発明がそれらの改変されたものに及ぶことは当然である。
【００１５】
【発明の効果】
以上説明したように、本発明の紙折り装置は、紙テーブルを二分割構成として冊子の背の成形型となる溝の幅を変化させることができる構造とし、ローラにより紙の中央を溝内に圧入して冊子を成形するようにしたので、従来不可能であった背幅の任意設定や頁数が異なる冊子の背幅の統一が可能となる。
【図面の簡単な説明】
【図１】本発明の実施の一形態を示し、紙折り機構部の側面図。
【図２】紙折り機構部の正面図。
【図３】紙折り機構部の作動状態を示す側面図。
【図４】紙折り機構部の作動状態を示す正面図。
【図５】紙折り機構部の作動状態を示す正面図。
【図６】紙折り機構部の作動状態を示す側面図。
【図７】紙折り機構部の側面図。
【図８】他の実施形態を示し、紙折り機構部の正面図。
【図９】従来例を示し、紙折り装置の側面図。
【図１０】図9の紙折り装置の動作行程を示す側面図。
【図１１】図9の紙折り装置の動作行程を示す側面図。
【符号の説明】
11     固定テーブル
11a    壁部
12     可動テーブル
12a    ステップ部
13     転圧ローラ
P      紙
【図１】
2004196524.tif 000003
【図２】
2004196524.tif 000004
【図３】
2004196524.tif 000005
【図４】
2004196524.tif 000006
【図５】
2004196524.tif 000007
【図６】
2004196524.tif 000008
【図７】
2004196524.tif 000009
【図８】
2004196524.tif 000010
【図９】
2004196524.tif 000011
【図１０】
2004196524.tif 000012
【図１１】
2004196524.tif 000013